(57)【要約】      （修正有）【課題】多様な意匠に対応できる墓ユニットの納骨室の開口部に設けられる扉構造を提供する。【解決手段】扉構造１０は、遺骨が納められる納骨室を有する墓ユニットの納骨室の開口部に設けられ、夫々別々の部材であり、開口部の側縁に配置される、上枠１１、下枠１２、左枠１３及び右枠１４と、上枠１１、下枠１２、左枠１３及び右枠１４に囲まれた位置に配置され、開閉可能な扉体１５と、を備える。【選択図】図２
0003208022.tif 000002
【実用新案登録請求の範囲】
【請求項１】
遺骨が納められる納骨室を有する墓ユニットの前記納骨室の開口部に設けられる扉構造であって、
夫々別々の部材であり、前記開口部の側縁に配置される、上枠、下枠、左枠及び右枠と、
前記上枠、前記下枠、前記左枠及び前記右枠に囲まれた位置に配置され、開閉可能な扉体と、を備える扉構造。
【請求項２】
前記扉体は、左右１対で配置され、上下方向に延びる軸を中心に回動する観音開きであり、
左右１対の前記扉体が閉じた状態において、前記扉体の外側であって、左右１対の前記扉体の両方に当接する位置に配置され、上下方向に延び、前記上枠に上端が係合し、前記下枠に下端が係合する閂を、備える請求項１に記載の扉構造。
【考案の詳細な説明】
【技術分野】
【０００１】
本考案は、扉構造に関し、特に、遺骨が納められる納骨室を有する墓ユニットの納骨室の開口部に設けられる扉構造に関する。
【背景技術】
【０００２】
従来、墓には、遺骨が納められる納骨室が設けられている。この納骨室は、地上に設けられる場合があり、このような場合には、墓の前方側に開くことができる扉が設けられる。
【０００３】
このような扉として、例えば、特許文献１には一塊の石材から、上枠部と下枠部と左右一対の縦枠部とを削り出した一体物の石製の扉枠と、扉枠に、支軸で開閉自在に軸支された石製の扉とからなる石製扉ユニットが提案されている。
【先行技術文献】
【特許文献】
【０００４】
【特許文献１】実用新案登録第３１１６６３４号公報
【考案の概要】
【考案が解決しようとする課題】
【０００５】
しかしながら、特許文献１の石製扉ユニットのように、枠を、一塊の石材から削り出した一体物にするには加工の技術的制約が伴う。更に、一塊の石種により、扉ユニット全体の色や模様が決まってしまうという問題があった。
【０００６】
本考案は、多様な意匠に対応できる扉構造を提供することを目的とする。
【課題を解決するための手段】
【０００７】
（１）  遺骨が納められる納骨室を有する墓ユニットの前記納骨室の開口部に設けられる扉構造であって、
夫々別々の部材であり、前記開口部の側縁に配置される、上枠、下枠、左枠及び右枠と、
前記上枠、前記下枠、前記左枠及び前記右枠に囲まれた位置に配置され、開閉可能な扉体と、を備える扉構造。
【０００８】
（１）の構成によれば、遺骨が納められる納骨室を有する墓ユニットの納骨室の開口部に設けられる扉構造は、上枠、下枠、左枠、右枠及び扉体と、を備える。
上枠、下枠、左枠及び右枠は、夫々別々の部材であり、納骨室の開口部の側縁に配置される。
扉体は、上枠、下枠、左枠及び右枠に囲まれた位置に配置され、開閉可能である。
【０００９】
これにより、上枠、下枠、左枠及び右枠を、夫々別々の部材としたので、墓ユニットの形態や、墓ユニットの他の部材（棹石や香立等）の形態、石種等に応じて、上枠、下枠、左枠及び右枠とで、互いに異なる意匠や、異なる石種の石材から製造したり、部分的（例えば、上枠と下枠）に同様の意匠としたり、全体を同じ意匠としたり、することが可能となる。
よって、墓ユニットの扉構造における意匠を選択する自由度が向上する。
したがって、多様な意匠に対応できる扉構造を提供できる。さらに、この扉構造を予め工場で構成しておくことで、現場において施工時間を短縮し、作業をより容易にすることができる。さらに、扉の一部が破損した場合は、墓ユニット全体を解体して修理するのではなく、扉構造のみの交換で修理が可能である。
【００１０】
（２）  前記扉体は、左右１対で配置され、上下方向に延びる軸を中心に回動する観音開きであり、
左右１対の前記扉体が閉じた状態において、前記扉体の外側であって、左右１対の前記扉体に当接する位置に配置され、上下方向に延び、前記上枠に上端が係合し、前記下枠に下端が係合する閂を、備える（１）に記載の扉構造。
【００１１】
（２）の構成によれば、扉体は、左右１対で配置され、上下方向に延びる軸を中心に回動する観音開きである。
そして、扉構造は、閂を備える。この閂は、左右１対の扉体が閉じた状態において、扉体の外側であって、左右１対の扉体の両方に当接する位置に配置され、上下方向に差し込むことで、上枠に上端が係合し、下枠に下端が係合する。
【００１２】
これにより、扉構造は、以下の手順により、観音開きする扉体を閉鎖できる。
まず、左右１対の扉体を閉じる。その後、この扉体の外側から、左右１対の扉体の両方に当接する位置に閂を配置し、この閂の上端を上枠に係合させ、この閂の下端を下枠に係合させる。
これにより、閂が、外側から左右１対の扉体の両方に当接した状態で、上枠と下枠とに固定され、観音開きする扉体が閉鎖される。
したがって、観音扉を閂で閉鎖することで、堅牢な構造で扉動作を抑止することができる。
【考案の効果】
【００１３】
本考案によれば、多様な意匠に対応できる扉構造を提供できる。
【図面の簡単な説明】
【００１４】
【図１】本考案の一実施形態に係る墓ユニット１の外観を示す斜視図である。
【図２】前記実施形態に係る扉構造１０の斜視図である。
【図３】前記実施形態に係る扉構造１０の斜視図である。
【図４】前記実施形態に係る扉構造１０の断面図である。
【図５】前記実施形態に係る突軸金物１５１ａの斜視図である。
【図６】前記実施形態に係る受軸金物１５１ｂの斜視図である。
【図７】前記実施形態に係る扉構造１０の分解断面図である。
【図８】前記実施形態に係る突出固定具１５２ａの斜視図である。
【図９】前記実施形態に係る突出受具１５２ｂを上から見た図である。
【図１０】前記実施形態に係る突出固定具１５２ａと突出受具１５２ｂの断面図である。
【考案を実施するための形態】
【００１５】
本考案の実施形態に係る墓ユニット１の構成を図面に基づいて説明する。
図１は、本考案の一実施形態に係る墓ユニット１の外観を示す斜視図である。
墓ユニット１は、遺骨が納められる納骨室２と、納骨室２の上に配置された棹石３、香立４、花立５等と、納骨室２の前面側に配置された扉構造１０と、を備える。
墓ユニット１は、更に、納骨室２の上に下台６を配置し、この下台６の上に上台７を配置し、上台７の上に棹石３を配置してもよい。
【００１６】
納骨室２は、棚石により底面が形成され、左右方向及び後方向側に配置された腰石により左右及び後側の側壁が形成され、天台により天面が形成され、前方側に開口部２１が形成されている。
【００１７】
扉構造１０は、納骨室２の開口部２１に設けられている。
図２及び図３は、前記実施形態に係る扉構造１０の斜視図である。図２は扉構造１０が閉鎖された状態を示し、図３は扉構造１０が解放された状態を示している。
【００１８】
扉構造１０は、上枠１１、下枠１２、左枠１３、右枠１４及び扉体１５と、閂１６と、を備える。
上枠１１、下枠１２、左枠１３及び右枠１４は、夫々別々の部材であり、納骨室２の開口部２１（図１参照）の側縁に配置される。
なお、上枠１１、下枠１２、左枠１３及び右枠１４、扉体１５は、工場において、予め互いに接着しておくことで、現場において、施工時間を短縮することができる。
【００１９】
図４は、前記実施形態に係る扉構造１０の断面図である。図４（ａ）は扉体１５が閉じられ、閂１６が取り外された状態を示し、図４（ｂ）は扉体１５が閉じられ、閂１６が装着された状態（扉構造１０が閉鎖された状態）を示している。
【００２０】
上枠１１は、左右方向に延びる板状体の上枠本体１１１の下面側に、閂１６の上端側の一部が挿入可能な上枠切欠き１１２が形成されている。
【００２１】
下枠１２は、左右方向に延びる板状体の下枠本体１２１の上面側に、後述する閂１６の突出部１６３が挿入可能な下枠切欠き１２２が形成されている。
また、下枠１２は、下枠本体１２１の上面側において、下枠切欠き１２２より後方側に、下枠本体１２１の上面より上方に突出している水切り段１２３を備える。水切り段１２３は、下枠１２の一部であって、下枠１２と一体で突出されて構成されてもよい。
扉体１５は、後側の下端が、水切り段１２３に当接し、前面側を閂１６に押さえ付けられることで、扉構造１０が閉鎖された状態となる。
【００２２】
図３に戻って、扉体１５は、上枠１１、下枠１２、左枠１３及び右枠１４に囲まれた位置に配置され、例えば、図３に示す状態から図２に示す状態に、開閉可能である。
また、扉体１５は、左右１対で配置され、基端側が、左枠１３又は右枠１４近傍において上下方向に延びる軸を中心に回動し、先端側が、上枠１１及び下枠１２の略中央で互いに近接する観音開きである。詳細には、扉体１５は、左枠１３又は右枠１４近傍において上下方向に延びる軸に沿って配置された軸金物１５１によって、その左端側又は右端側の上端及び下端が、回動自在に支持されている。このような軸金物１５１を設けることで、扉体１５の開閉がスムーズになる。
【００２３】
図５、図６に示すように、軸金物１５１は、例えば、突軸金物１５１ａ、受軸金物１５１ｂとから構成される。そして、図７に示すように、突軸金物１５１ａは、扉体１５の左端側又は右端側の上端及び下端（計２つ）に配置され、受軸金物１５１ｂは、この扉体１５の後側（左扉であれば左端、右扉であれば右端）に配置された上下２つの突軸金物１５１ａを受けるように、上枠１１（図示せず）、下枠１２の左右（計２つ）に配置される。そして、突軸金物１５１ａの突部が、受軸金物１５１ｂの凹部と嵌合することで、左右の扉体１５が回転自在となる。
【００２４】
閂１６は、左右１対の扉体１５が閉じた状態において、扉体１５の外側（図３中前側）であって、左右１対の扉体１５の両方に当接する位置に配置され、上下方向に延び、上枠１１に上端が係合し、下枠１２に下端が係合する。
【００２５】
閂１６は、詳細には図４に示すように、上下方向に延びる閂本体１６１と、閂本体１６１の上端の後面側において、角が落とされた面取り部１６２と、閂本体１６１の下端から下方に突出する突出部１６３と、を備える。
このような面取り部１６２を設けることで、閂１６の上端を上枠１１の上枠切欠き１１２に挿入しやすくなる。
【００２６】
また、図４（ｂ）に示すように、閂１６は、閂本体１６１の上端から突出部１６３の下端までの寸法が、上枠１１の上枠切欠き１１２内の上面から下枠１２の下枠本体１２１の上面までの寸法より、小さい寸法で形成されている。
一方、閂１６は、閂本体１６１の上端から下端までの寸法が、上枠１１の上枠本体１１１の下面から下枠１２の下枠本体１２１の上面までの寸法より、大きい寸法で形成されている。
【００２７】
これにより、閂１６の上端を上枠１１の上枠切欠き１１２内の上面に当接するまで挿入し、閂１６の下端側に設けられている突出部１６３を、下枠１２の下枠切欠き１２２の上に配置し、このまま、閂１６を下げることで、閂１６の上端側が上枠１１の上枠切欠き１１２に係合し、閂１６の下端側の突出部１６３が下枠１２の下枠切欠き１２２に係合する。
【００２８】
なお、この扉体１５の前側（左扉であれば右端、右扉であれば左端）に設置された突出固定具１５２ａは、図８に示すような固定具であってよい。突出固定具１５２ａは、上枠１１（図示せず）及び下枠１２に設置された突出受具１５２ｂ（図９）と弾性突出部５０５で係合する。すなわち、図１０に示すように、突出固定具１５２ａは、バネ等の弾性体５００を内蔵し、これが弾性突出部５０５を外部に突出（図１０では下方向）させることで、突出受具１５２ｂの凹部に係合する。
【００２９】
なお、扉体１５に対して、突出固定具１５２ａ、突出受具１５２ｂを設置する場所は、扉体１５の上端側のみに設置してもよいし、下端のみに設置してもよい。突出固定具１５２ａと突出受具１５２ｂは、例えば、図示した円形部分に釘で固定される。
【００３０】
本実施形態に係る墓ユニット１の扉構造１０によれば、以下の作用効果を奏する。
扉構造１０によれば、上枠１１、下枠１２、左枠１３及び右枠１４を、夫々別々の部材としたので、墓ユニット１の形態や、墓ユニット１の他の部材（棹石や香立等）の形態、色、模様等に応じて、上枠１１、下枠１２、左枠１３及び右枠１４とで、互いに異なる意匠や、異なる石種から製造したり、部分的（例えば、上枠１１と下枠１２）に同様の意匠としたり、全体を同じ意匠としたり、することが可能となる。
よって、墓ユニット１の扉構造１０における意匠を選択する自由度が向上する。
したがって、多様な意匠に対応できる扉構造を提供できる。
【００３１】
また、扉構造１０は、以下の手順により、観音開きする扉体１５を閉鎖できる。
まず、左右１対の扉体１５を閉じる。その後、この扉体１５の外側から、左右１対の扉体１５の両方に当接する位置に閂１６を配置し、この閂１６の上端を上枠１１に係合させ、この閂１６の下端を下枠１２に係合させる。
これにより、閂１６が、外側から左右１対の扉体１５の両方に当接した状態で、上枠１１と下枠１２とに固定され、観音開きする扉体１５が閉鎖される。
したがって、観音扉を閂で閉鎖することで、堅牢な構造で扉動作を抑止することができる。
【００３２】
なお、本考案は前記実施形態に限定されるものではなく、本考案の目的を達成できる範囲での変形、改良等は本考案に含まれるものである。
【符号の説明】
【００３３】
１  墓ユニット
２  納骨室
３  棹石
４  香立
５  花立
１０  扉構造
１１  上枠
１２  下枠
１３  左枠
１４  右枠
１５  扉体
１６  閂
２１  開口部
１１１  上枠本体
１１２  上枠切欠き
１２１  下枠本体
１２２  下枠切欠き
１２３  水切り段
１５１  軸金物
１５１ａ  突軸金物
１５１ｂ  受軸金物
１５２ａ  突出固定具
１５２ｂ  突出受具
１６１  閂本体
１６２  面取り部
１６３  突出部
５００  弾性体
５０５  弾性突出部
【図１】
0003208022.tif 000003
【図２】
0003208022.tif 000004
【図３】
0003208022.tif 000005
【図４】
0003208022.tif 000006
【図５】
0003208022.tif 000007
【図６】
0003208022.tif 000008
【図７】
0003208022.tif 000009
【図８】
0003208022.tif 000010
【図９】
0003208022.tif 000011
【図１０】
0003208022.tif 000012